【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
記録剤を使って印刷をする印刷装置であって、
記録剤を格納する複数の格納手段と、
前記複数の格納手段の内の１つを交換可能な位置に移動する移動手段と、
記録材が不足していると判断されている１または複数の前記格納手段の全てが前記位置に移動された場合、前記格納手段の動作を確認する確認処理を実行する実行手段とを有することを特徴とする印刷装置。
【請求項２】
記録剤を使って印刷をする印刷装置であって、
記録剤を格納する複数の格納手段と、
前記格納手段を交換するために開くドアが閉じられたことを検知する検知手段と、
前記複数の格納手段のうちの１つを交換可能な位置に移動する移動手段と、
１または複数の前記格納手段において記録剤が不足していると判断してから前記格納手段が交換されたと前記検知手段の検知結果を用いて判断した回数を数える計測手段と、
記録剤が不足していると判断した１または複数の前記格納手段の数と前記計測手段で数えた回数とを比較して、前記格納手段の動作を確認する確認処理を実行する実行手段とを有することを特徴とする印刷装置。
【請求項３】
前記実行手段は、記録剤が不足していると判断した１または複数の前記格納手段の数と前記計測手段で数えた回数とが一致するのに従って、前記確認処理を実行することを特徴とする請求項２に記載の印刷装置。
【請求項４】
前記実行手段はさらに、記録剤が不足していると判断した１または複数の前記格納手段の数と前記計測手段で数えた回数とが一致した後は、前記ドアが閉じられるたびに前記確認処理を実行することを特徴とする請求項２または３に記載の印刷装置。
【請求項５】
記録剤を使って印刷をする印刷装置であって、
記録剤を格納する複数の格納手段と、
前記格納手段を交換するために開くドアが閉じられたことを検知する検知手段と、
前記複数の格納手段のうちの１つを交換可能な位置に移動する移動手段と、
記録剤が不足していると判断した１または複数の前記格納手段を認識する第１の認識手段と、
前記ドアが閉じられたことを前記検知手段で検知した場合に、前記位置にある前記格納手段を認識する第２の認識手段と、
前記第１の認識手段で認識した１または複数の前記格納手段の全てが前記第２の認識手段で認識されるのに従って、前記格納手段の動作を確認する確認処理を実行する実行手段とを有することを特徴とする印刷装置。
【請求項６】
前記第１の認識手段で認識した１または複数の前記格納手段を記憶するとともに、前記第１の認識手段で認識した１または複数の前記格納手段のそれぞれが交換済みであるかを記憶するリストを格納する格納手段と、
前記第２の認識手段で認識した前記格納手段が交換済みであることを前記リストに記憶する更新手段とを有し、
前記実行手段は、前記リストにおいて全ての前記格納手段が交換済みになるのに従って、前記確認処理を実行することを特徴とする請求項５に記載の印刷装置。
【請求項７】
記録剤を格納する複数の格納手段を有し、記録剤を使って印刷をする印刷装置で行われる制御方法であって、
前記複数の格納手段の内の１つを交換可能な位置に移動する移動ステップと、
記録材が不足していると判断されている１または複数の前記格納手段の全てが前記位置に移動された場合、前記格納手段の動作を確認する確認処理を実行する実行ステップとを有することを特徴とする制御方法。
【請求項８】
記録剤を格納する複数の格納手段を有し、記録剤を使って印刷をする印刷装置で行われる制御方法であって、
前記格納手段を交換するために開くドアが閉じられたことを検知する検知ステップと、
前記複数の格納手段のうちの１つを交換可能な位置に移動する移動ステップと、
１または複数の前記格納手段において記録剤が不足していると判断してから、前記格納手段が交換されたと前記検知ステップでの検知結果を用いて判断した回数を数える計測ステップと、
記録剤が不足していると判断した１または複数の前記格納手段の数と前記計測ステップで数えた回数とを比較して、前記格納手段の動作を確認する確認処理を実行する実行ステップとを有することを特徴とする制御方法。
【請求項９】
記録剤を格納する複数の格納手段を有し、記録剤を使って印刷をする印刷装置で行われる制御方法であって、
前記格納手段を交換するために開くドアが閉じられたことを検知する検知ステップと、前記複数の格納手段のうちの１つを交換可能な位置に移動する移動ステップと、
記録剤が不足していると判断した１または複数の前記格納手段を認識する第１の認識ステップと、
前記ドアが閉じられたことを前記検知ステップで検知した場合に、前記位置にある前記格納手段を認識する第２の認識ステップと、
前記第１の認識ステップで認識した１または複数の前記格納手段の全てが前記第２の認識ステップで認識されるのに従って、前記格納手段の動作を確認する確認処理を実行する実行ステップとを有することを特徴とする制御方法。
【手続補正２】
【補正対象書類名】明細書
【補正対象項目名】０００９
【補正方法】変更
【補正の内容】
【０００９】
そこで、本発明では、記録剤を格納する格納手段が一つ一つ交換されるたびに格納手段の動作を確認する確認処理を実行するのを回避して、ユーザビリティを向上させることを目的にする。
【手続補正３】
【補正対象書類名】明細書
【補正対象項目名】００１０
【補正方法】変更
【補正の内容】
【００１０】
本発明に係る印刷装置は、記録剤を使って印刷をする印刷装置であって、記録剤を格納する複数の格納手段と、前記複数の格納手段の内の１つを交換可能な位置に移動する移動手段と、記録材が不足していると判断されている１または複数の前記格納手段の全てが前記位置に移動された場合、前記格納手段の動作を確認する確認処理を実行する実行手段とを有することを特徴とする。
また、本発明に係わる印刷装置は、記録剤を使って印刷をする印刷装置であって、記録剤を格納する複数の格納手段と、前記格納手段を交換するために開くドアが閉じられたことを検知する検知手段と、前記複数の格納手段のうちの１つを交換可能な位置に移動する移動手段と、１または複数の前記格納手段において記録剤が不足していると判断してから、前記格納手段が交換されたと前記検知手段の検知結果を用いて判断した回数を数える計測手段と、記録剤が不足していると判断した１または複数の前記格納手段の数と前記計測手段で数えた回数とを比較して、前記格納手段の動作を確認する確認処理を実行する実行手段とを有することを特徴とする。
【手続補正４】
【補正対象書類名】明細書
【補正対象項目名】００１１
【補正方法】変更
【補正の内容】
【００１１】
また、本発明に係わる印刷装置は、記録剤を使って印刷をする印刷装置であって、記録剤を格納する複数の格納手段と、前記格納手段を交換するために開くドアが閉じられたことを検知する検知手段と、前記複数の格納手段のうちの１つを交換可能な位置に移動する移動手段と、記録剤が不足していると判断した１または複数の前記格納手段を認識する第１の認識手段と、前記ドアが閉じられたことを前記検知手段で検知した場合に、前記位置にある前記格納手段を認識する第２の認識手段と、前記第１の認識手段で認識した１または複数の前記格納手段の全てが前記第２の認識手段で認識されるのに従って、前記格納手段の動作を確認する確認処理を実行する実行手段とを有することを特徴とする。
【手続補正５】
【補正対象書類名】明細書
【補正対象項目名】００１２
【補正方法】変更
【補正の内容】
【００１２】
本発明によれば、記録剤を格納する格納手段が一つ一つ交換されるたびに格納手段の動作を確認する確認処理を実行することを回避して、ユーザビリティを向上させる。